(57)【要約】【課題】屋根材と水切り部材との間から野地板まで雨水が毛細管現象によって伝わることを防止すること。【解決手段】野地板１４と、野地板１４上に棟側から軒先側にかけて設けられた複数の縦桟１５と、縦桟１５の間に設けられた複数の屋根材２０と、野地板１４の軒先側に設けられた板状の水切り部材３０とを具備し、水切り部材３０は、屋根材２０と野地板１４との間に設けられた挟持部３１ａと、挟持部３１ａから軒先側に突出すると共に、その上面が屋根材２０の下面から離間した突出部３１ｂと、突出部３１ｂから下方に折曲された平板状の案内片３２とを備えている。【選択図】図１Ａ
2018080571.tif 000002
【特許請求の範囲】
【請求項１】
野地板の軒先に設けられる板材からなる水切り部材において、
平板状の挟持部と、
この挟持部に対し、下方への段差部を介して一体に設けられた平板状の突出部と、
この突出部に対し、下方に折曲されて一体に設けられた平板状の折曲部と、を備えている軒先用水切り部材。
【請求項２】
野地板の軒先に設けられる板材からなる水切り部材において、
平板状の挟持部と、
この挟持部に対し、下方への段差部を介して一体に設けられた平板状の突出部と、
この突出部から前記野地板側に折り返された突出折返部と、
この折返部から下方に折曲された平板状の折曲部と、を備えている軒先用水切り部材。
【請求項３】
野地板と、
この野地板上に棟側から軒先側にかけて設けられた複数の縦桟と、
これら縦桟の間に設けられた複数の屋根材と、
前記野地板の軒先側に設けられた板状の水切り部材と、を具備し、
前記水切り部材は、前記屋根材と前記野地板との間に設けられた水切挟持部と、
この水切挟持部から軒先側に突出すると共に、その上面が前記屋根材の下面から離間した突出部と、
この突出部から下方に折曲された平板状の折曲部と、を備えている屋根構造。
【請求項４】
野地板と、
この野地板上に棟側から軒先側にかけて設けられた複数の縦桟と、
これら縦桟の間に設けられた複数の屋根材と、
前記野地板の軒先側に設けられた板状の水切り部材と、を具備し、
前記水切り部材は、前記屋根材と前記野地板との間に設けられた水切挟持部と、
この水切挟持部から軒先側に下方への段差部を介して突出して設けられると共に、その上面が前記屋根材の下面から離間した突出部と、
この突出部から前記野地板側に折り返された突出折返部と、
この突出折返部から下方に折曲された平板状の折曲部と、を備えている屋根構造。
【請求項５】
前記屋根材は、前記軒先側に突出すると共に、前記水切り部材の突出折返部の下方側へ折曲された折返部とを備え、
前記水切挟持部の下端位置が、前記突出折返部と前記折曲部との境界位置に対し、鉛直方向において高い請求項４に記載の屋根構造。
【発明の詳細な説明】
【技術分野】
【０００１】
本発明は、野地板上への雨水の浸入を防止する軒先用水切り部材及びこの軒先用水切り部材を用いた屋根構造に関する。
【背景技術】
【０００２】
家屋の野地板上には屋根材が配置され、受けた雨水を軒先側に流している。野地板の軒先側には、軒先用の水切り部材（捨て唐草）が設けられており、屋根材上を流れた雨水を破風板の先方位置（例えば、雨樋等）に案内する機能を有している（例えば、特許文献１参照。）。
【０００３】
図３５は縦葺きの屋根構造１００の一例を示す縦断面図、図３６は屋根構造１００の要部を示す斜視図、図３７は屋根構造１００の要部を示す斜視図である。
【０００４】
屋根構造１００は、野地板１０１と、この野地板１０１上に棟側から軒先側に向けて所定間隔で配置された縦桟１０２と、野地板１０１上に設けられた防水シート１０３とを備えている。これら縦桟１０２の間には、板金製の屋根材１１０が設けられている。また、野地板１０１の軒先側には板金製の水切り部材１２０が配置され、屋根材１１０の下面に配置されている。
【０００５】
屋根材１１０は、野地板１０１及び水切り部材１２０に積層される平面部１１１と、この平面部１１１の側端部から縦桟１０２に沿って立設された壁部１１２と、平面部１１１の軒先側に設けられた折返部１１３とを備えている。
【０００６】
水切り部材１２０は、野地板１０１に積層される本体部１２１と、この本体部１２１の軒先側から下方へ折曲された案内片１２２とを備えている。なお、案内片１２２には、上述した折返部１１３が重ねられて配置されている。
【先行技術文献】
【特許文献】
【０００７】
【特許文献１】特開２００９−１５００８９号公報
【発明の概要】
【発明が解決しようとする課題】
【０００８】
上述した屋根構造では、次のような問題があった。すなわち、縦桟１０２と水切り部材１２０との間には屋根材１１０が設けられていない。このため、案内片１２２が露出し、縦桟１０２、屋根材１１０、案内片１２２の隙間（図３７中二点鎖線Ｐ参照）が形成されることとなる。このため、この隙間から屋根材１１０と水切り部材１２０との隙間に毛細管現象により水が浸入する。浸入した水分は、さらに屋根材１１０と水切り部材１２０との間を上り、野地板１０１まで浸入する。このため、野地板１０１の軒先側を腐らせてしまうことがあった。水切り部材１２０を棟側に延伸すれば水の浸入を防止することができるが、コストが高くなるという問題が生ずる。
【０００９】
そこで本発明は、屋根材と水切り部材との間から野地板まで雨水が毛細管現象によって伝わることを防止できる軒先用水切り部材及びこの軒先用水切り部材を用いた屋根構造を提供することを目的としている。
【課題を解決するための手段】
【００１０】
前記課題を解決し目的を達成するために、本発明の軒先用水切り部材及び屋根構造は次のように構成されている。
【００１１】
野地板の軒先に設けられる板材からなる軒先用水切り部材において、平板状の挟持部と、この挟持部に対し、下方への段差部を介して一体に設けられた平板状の突出部と、この突出部に対し、下方に折曲されて一体に設けられた平板状の折曲部と、を備えている。
【００１２】
野地板の軒先に設けられる板材からなる水切り部材において、平板状の挟持部と、この挟持部に対し、下方への段差部を介して一体に設けられた平板状の突出部と、この突出部から前記野地板側に折り返された突出折返部と、この折返部から下方に折曲された平板状の折曲部と、を備えている。
【００１３】
野地板と、この野地板上に棟側から軒先側にかけて設けられた複数の縦桟と、これら縦桟の間に設けられた複数の屋根材と、前記野地板の軒先側に設けられた板状の水切り部材と、を具備し、前記水切り部材は、前記屋根材と前記野地板との間に設けられた水切挟持部と、この水切挟持部から軒先側に突出すると共に、その上面が前記屋根材の下面から離間した突出部と、この突出部から下方に折曲された平板状の折曲部とを備えている。
【００１４】
野地板と、この野地板上に棟側から軒先側にかけて設けられた複数の縦桟と、これら縦桟の間に設けられた複数の屋根材と、前記野地板の軒先側に設けられた板状の水切り部材と、を具備し、前記水切り部材は、前記屋根材と前記野地板との間に設けられた水切挟持部と、この水切挟持部から軒先側に突出すると共に、その上面が前記屋根材の下面から離間した突出部と、この突出部から下方に折曲された平板状の折曲部と、を備えている。
【００１５】
野地板と、この野地板上に棟側から軒先側にかけて設けられた複数の縦桟と、これら縦桟の間に設けられた複数の屋根材と、前記野地板の軒先側に設けられた板状の水切り部材と、を具備し、前記水切り部材は、前記屋根材と前記野地板との間に設けられた水切挟持部と、この水切挟持部から軒先側に下方への段差部を介して突出して設けられると共に、その上面が前記屋根材の下面から離間した突出部と、この突出部から前記野地板側に折り返された突出折返部と、この突出折返部から下方に折曲された平板状の折曲部と、を備えている。
【発明の効果】
【００１６】
本発明によれば、屋根材と水切り部材との間から野地板まで雨水が毛細管現象によって伝わることを防止できる。
【図面の簡単な説明】
【００１７】
【図１Ａ】本発明の第１の実施の形態に係る屋根構造を示す縦断面図。
【図１Ｂ】同屋根構造の要部を示す斜視図。
【図２Ａ】同屋根構造の変形例を示す縦断面図。
【図２Ｂ】同屋根構造の要部を示す斜視図。
【図３】同屋根構造の組立工程を示す斜視図。
【図４】同屋根構造の組立工程を示す斜視図。
【図５】本発明の第２の実施の形態に係る屋根構造に組み込まれる屋根材を示す斜視図。
【図６】同屋根材を用いた屋根構造の組立工程を示す斜視図。
【図７】同屋根材を用いた屋根構造の組立工程を示す斜視図。
【図８】同屋根構造の要部を示す斜視図。
【図９】本発明の第３の実施の形態に係る屋根構造に組み込まれる屋根材を示す斜視図。
【図１０】同屋根材を用いた屋根構造の組立工程を示す斜視図。
【図１１】同屋根材を用いた屋根構造の組立工程を示す斜視図。
【図１２】同屋根材を用いた屋根構造の組立工程を示す斜視図。
【図１３】同屋根構造の要部を示す斜視図。
【図１４】本発明の第４の実施の形態に係る屋根構造に組み込まれる屋根材を示す斜視図。
【図１５】同屋根材を用いた屋根構造の要部を示す斜視図。
【図１６】同屋根構造の別の例を示す斜視図。
【図１７】本発明の第５の実施の形態に係る屋根構造（１寸勾配）の降雨時の状態を示す断面図。
【図１８】同屋根構造の降雨後の状態を示す断面図。
【図１９】同屋根構造（３．５寸勾配）の降雨時の状態を示す断面図。
【図２０】同屋根構造の降雨後の状態を示す断面図。
【図２１】同屋根構造（６寸勾配）の降雨時の状態を示す断面図。
【図２２】比較例としての屋根構造の降雨後の状態を示す断面図。
【図２３】同屋根構造（１寸勾配）の降雨時の状態を示す断面図。
【図２４】同屋根構造の降雨後の状態を示す断面図。
【図２５】同屋根構造（３．５寸勾配）の降雨時の状態を示す断面図。
【図２６】同屋根構造の降雨後の状態を示す断面図。
【図２７】同屋根構造（６寸勾配）の降雨時の状態を示す断面図。
【図２８】同屋根構造の降雨後の状態を示す断面図。
【図２９】本発明の第６の実施の形態に係る屋根構造（１寸勾配）の降雨時の状態を示す断面図。
【図３０】同屋根構造の降雨後の状態を示す断面図。
【図３１】同屋根構造（３．５寸勾配）の降雨時の状態を示す断面図。
【図３２】同屋根構造の降雨後の状態を示す断面図。
【図３３】同屋根構造（６寸勾配）の降雨時の状態を示す断面図。
【図３４】同屋根構造の降雨後の状態を示す断面図。
【図３５】屋根構造の一例を示す縦断面図。
【図３６】同屋根構造の要部を示す斜視図。
【図３７】同屋根構造の要部を示す斜視図。
【発明を実施するための形態】
【００１８】
図１Ａは本発明の第１の実施の形態に係る屋根構造１０を示す縦断面図、図１Ｂは屋根構造１０の要部を示す斜視図、図２Ａは屋根構造１０を示す縦断面図、図２Ｂは屋根構造１０の要部を示す斜視図、図３〜４は屋根構造１０の組立工程を示す斜視図である。
【００１９】
図１Ａに示すように、屋根構造１０は、鉛直方向に立設された鼻隠し１１と、図示しない桁によって支持された垂木１２とで主要部が形成されている。鼻隠し１１の外側には化粧鼻隠し１３、垂木１２の上には、棟側から軒先側に向けて斜面を形成する野地板１４が配置されている。なお、図２Ａ及び図２Ｂは、後述する防水シート１６の配置の位置が異なるものについて示している。
【００２０】
図３に示すように、野地板１４上には、棟側から軒先側に向けて所定間隔で配置された縦桟１５と、野地板１４上に設けられた防水シート１６とを備えている。
縦桟１５の間には、板金製の屋根材２０が設けられている。また、野地板１４の軒先側には軒先用の水切り部材３０が配置され、屋根材２０の下面に配置されている。水切り部材３０は金属板を折曲して一体に成形されている。
【００２１】
屋根材２０は、野地板１４及び水切り部材３０に積層される平面部２１と、この平面部２１の側端部から縦桟１５に沿って立設された壁部２２と、平面部２１の軒先側に設けられた折返部２３とを備えている。
【００２２】
水切り部材３０は、野地板１４に積層される本体部３１と、この本体部３１の軒先側から下方へ折曲された案内片（折曲部）３２とが金属板を折曲して一体に形成されている。なお、案内片３２には、上述した折返部２３が重ねられて配置されている。本体部３１は、屋根材２０の平面部２１と野地板１４上に挟持された挟持部３１ａと、野地板１４の軒先側に突出した突出部３１ｂと、これら挟持部３１ａと突出部３１ｂとを接続する接続部３１ｃとを備えている。挟持部３１ａの平面と突出部３１ｂの平面とはほぼ平行で、突出部３１ｂ側がやや下方に形成されている。突出部３１ｂの先端側は折返部２３に当接している。挟持部３１ａの上端には折返し片３３、案内片３２の下端には折返し片３４が形成されている。
【００２３】
次に、このような屋根構造１０の組立工程について説明する。すなわち、図３に示すように野地板１４の軒先側に水切り部材３０を配置する。次に、屋根材２０を下端側が水切り部材３０の突出部３１ｂよりも数ｃｍ先に出るように配置する。次に図４に示すように、屋根材２０の下端側を下方に折り曲げて水切り部材３０の突出部３１ｂの下端に突き当てる。
【００２４】
このように構成された屋根構造１０では、次のような効果がある。すなわち、降雨時に屋根材２０上に落下した雨水は、屋根材２０平面部２１上面を伝わって軒先側に導かれる。雨水は軒先側に達するとほとんど全てがそのまま落下する。一方、平面部２１と壁部２２の境界付近の雨水は軒先側に導かれる。導かれた雨水の一部は壁部２２と縦桟１５の隙間に回り込む。回り込んだ雨水は毛細管現象によって水切り部材３０の突出部３１ｂ上に導かれる。一方、図１に示すように突出部３１ｂ上面と屋根材２０の平面部２１とは離間しているため、雨水が毛細管現象によって挟持部３１ａ側に導かれることはない。
【００２５】
このため、水切り部材３０と屋根材２０との間を伝わって雨水が野地板１４上まで到達することがなく、野地板１４が傷むのを防止でき、長寿命化することができる。
【００２６】
なお、図２Ａ及び図２Ｂにおいては、防水シート１６が水切り部材３０の挟持部３１ａ上に配置されているが、同様の効果を得ることができる。
【００２７】
図５は本発明の第２の実施の形態に係る屋根構造１０Ａに組み込まれる屋根材４０を示す斜視図、図６，図７は屋根材４０を用いた屋根構造１０Ａの組立工程を示す斜視図、図８は屋根構造１０Ａの要部を示す斜視図である。なお、これらの図において、図１〜図４と同一機能部分には同一符号を付し、その詳細な説明は省略する。
【００２８】
屋根構造１０Ａにおいては、屋根材２０の代わりに屋根材４０を用いたものである。また、野地板１４上には縦桟１５が設けられていない。図５に示すように、屋根材４０は、野地板１４及び水切り部材３０に積層される平面部４１と、この平面部４１の左側端部に設けられた被係合凸部４２と、右側端部に設けられた係合凸部４３と、平面部４１の軒先側に設けられた折返部４４とを備えている。被係合凸部４２に係合凸部４３を被せることで係合し、棟側から軒先側に向けて桟状の凸条部Ｔが形成される。
【００２９】
次に、このような屋根構造１０Ａの組立工程について説明する。すなわち、図６に示すように野地板１４の軒先側に水切り部材３０を配置する。次に、複数の屋根材４０を係合させた状態で、その下端側が水切り部材３０の突出部３１ｂよりも数ｃｍ先に出るように配置する。次に図７に示すように、屋根材４０の下端側を下方に折り曲げて水切り部材３０の突出部３１ｂの下端に突き当てる。
【００３０】
このように構成された屋根構造１０Ａにおいては、次のような効果がある。すなわち、降雨時に屋根材４０上に落下した雨水は、屋根材４０の平面部４１上面を伝わって軒先側に導かれる。雨水は軒先側に達するとほとんど全てがそのまま落下する。一方、平面部４１と被係合凸部４２あるいは平面部４１と係合凸部４３の境界付近の雨水は軒先側に導かれる。導かれた雨水の一部は平面部４１と凸条部Ｔの隙間（図８中二点鎖線Ｑ）に回り込む。回り込んだ雨水は毛細管現象によって水切り部材３０の突出部３１ｂ上に導かれる。一方、上述した屋根構造１０と同様に、突出部３１ｂ上面と屋根材４０の平面部４１とは離間しているため、水が毛細管現象によって挟持部３１ａ側に導かれることはない。
【００３１】
このため、水切り部材３０と屋根材４０との間を伝わって雨水が野地板１４上まで到達することがなく、野地板１４が傷むのを防止でき、長寿命化することができる。
【００３２】
図９は本発明の第３の実施の形態に係る屋根構造１０Ｂに組み込まれる屋根材５０を示す斜視図、図１０〜図１２は屋根材５０を用いた屋根構造１０Ｂの組立工程を示す斜視図、図１３は屋根構造１０Ｂの要部を示す斜視図である。なお、これらの図において、図１〜図８と同一機能部分には同一符号を付し、その詳細な説明は省略する。
【００３３】
屋根構造１０Ｂにおいては、屋根材２０の代わりに屋根材５０を用いたものである。また、野地板１４上には縦桟１５が設けられていない。図９に示すように、屋根材５０は、野地板１４及び水切り部材３０に積層される平面部５１と、この平面部５１の左側端部に設けられた被係合鍔部５２と、右側端部に設けられた係合鍔部５３と、平面部５１の軒先側に設けられた折返部５４とを備えている。係合鍔部５３は被係合鍔部５２に重ねて折曲することで係合し、棟側から軒先側に向けて板状の凸条部Ｓが形成される。
【００３４】
次に、このような屋根構造１０Ｂの組立工程について説明する。すなわち、図１０に示すように野地板１４の軒先側に水切り部材３０を配置する。次に、複数の屋根材５０を係合させた状態で、その下端側が水切り部材３０の突出部３１ｂよりも数ｃｍ先に出るように配置する。また、係合鍔部５３と被係合鍔部５２とを共に重ねて２回折曲して凸条部Ｓを形成する。次、図１１に示すように屋根材５０の下端側の切欠Ｋを入れて、図１２に示すように下方に折り曲げ、水切り部材３０の突出部３１ｂの下端に突き当てる。
【００３５】
このように構成された屋根構造１０Ｂにおいては、次のような効果がある。すなわち、降雨時に屋根材５０上に落下した雨水は、屋根材５０の平面部５１上面を伝わって軒先側に導かれる。雨水は軒先側に達するとほとんど全てがそのまま落下する。一方、平面部５１と被係合鍔部５２あるいは平面部５１と係合鍔部５３の境界付近の雨水は軒先側に導かれる。導かれた雨水の一部は平面部５１と凸条部Ｓの隙間（図１３中二点鎖線Ｒ）に回り込む。回り込んだ雨水は毛細管現象によって水切り部材３０の突出部３１ｂ上に導かれる。一方、上述した屋根構造１０Ａと同様に、突出部３１ｂ上面と屋根材５０の平面部５１とは離間しているため、水が毛細管現象によって挟持部３１ａ側に導かれることはない。
【００３６】
このため、水切り部材３０と屋根材５０との間を伝わって雨水が野地板１４上まで到達することがなく、野地板１４が傷むのを防止でき、長寿命化することができる。
【００３７】
図１４は本発明の第４の実施の形態に係る屋根構造１０Ｃに組み込まれる屋根材６０を示す斜視図、図１５は屋根材６０を用いた屋根構造１０Ｃの要部を示す斜視図である。なお、これらの図において、図１〜図１３と同一機能部分には同一符号を付し、その詳細な説明は省略する。
【００３８】
屋根構造１０Ｃにおいては、屋根材２０の代わりに屋根材６０を用いたものである。また、野地板１４上には縦桟１５が設けられていない。図１４に示すように、屋根材６０は、野地板１４及び水切り部材３０に積層される平面部６１と、この平面部６１の下端部に設けられた被係合折返片６２と、上端部に設けられた係合折返片６３とを備えている。
【００３９】
次に、このような屋根構造１０Ｃの組立工程について説明する。すなわち、図１５に示すように野地板１４の軒先側に水切り部材３０を配置する。次に、複数の屋根材６０を係合させた状態で、その下端側が水切り部材３０の突出部３１ｂよりも数ｃｍ先に出るように配置する。次に、屋根材６０の被係合折返片６２を水切り部材３０の突出部３１ｂの下端に突き当てる。次に屋根材６０の係合折返片６３に、別の屋根材６０の被係合折返片６２を係合させて配置する。
【００４０】
このように構成された屋根構造１０Ｃにおいては、降雨時に屋根材６０上に落下した雨水は、屋根材６０の平面部６１上面を伝わって軒先側に導かれる。雨水は軒先側に達するとほとんど全てがそのまま落下する。何らかの理由で雨水が水切り部材３０の突出部３１ｂ上に導かれた場合には、上述した屋根構造１０と同様に、突出部３１ｂ上面と屋根材６０の平面部６１とは離間しているため、水が毛細管現象によって挟持部３１ａ側に導かれることはない。
【００４１】
このため、水切り部材３０と屋根材６０との間を伝わって雨水が野地板１４上まで到達することがなく、野地板１４が傷むのを防止でき、長寿命化することができる。
【００４２】
図１６は屋根構造１０Ｄの示す斜視図である。この図において図１〜図１５と同一機能部分には同一符号を付した。屋根構造１０Ｄにおいては、水切り部材３０の代わりに水切り部材３０Ａを用いている。水切り部材３０Ａは、案内片３２の先端側が外側に折曲された折曲案内片３２ａが設けられている。折曲案内片３２ａは雨樋等に円滑に案内できるように適宜角度が調整されている。水切り部材３０Ａを用いた場合でも同様にして雨水の野地板１４への浸入を防止することができる。
【００４３】
図１７は本発明の第５の実施の形態に係る屋根構造（１寸勾配）７０の降雨時の状態を示す断面図、図１８は屋根構造７０の降雨後の状態を示す断面図である。また、図１７及び図１８中二点鎖線Ｈは水平を示している。なお、これらの図において、図１〜図５と同一機能部分には同一符号を付し、その詳細な説明は省略する。
【００４４】
図１７に示すように、屋根構造７０は、鉛直方向に立設された鼻隠し１１と、図示しない桁によって支持された垂木１２とで主要部が形成されている。鼻隠し１１の外側には化粧鼻隠し１３、垂木１２の上には、棟側から軒先側に向けて１寸勾配の斜面を形成する野地板１４が配置されている。なお、１寸勾配とは、野地板１４の傾きが５〜６°となる傾きである。
【００４５】
野地板１４上には、棟側から軒先側に向けて所定間隔で配置された縦桟１５と、野地板１４上に設けられた防水シート１６とを備えている。縦桟１５の間には、板金製の屋根材２０が設けられている。また、野地板１４の軒先側には軒先用の水切り部材８０が配置され、屋根材２０の下面に配置されている。水切り部材８０は金属板を折曲して一体に成形されている。
【００４６】
屋根材２０は、野地板１４及び水切り部材３０に積層される平面部２１と、この平面部２１の側端部から縦桟１５に沿って立設された壁部２２と、平面部２１の軒先側に設けられ、水切り部材８０の後述する突出折返部３１ｄ側に折曲された折返部２３とを備えている。
【００４７】
水切り部材８０は、野地板１４に積層される本体部３１と、この本体部３１の軒先側から下方へ折曲された案内片３２とが金属板を折曲して一体に形成されている。なお、案内片３２には、上述した折返部２３が重ねられて配置されている。本体部３１は、屋根材２０の平面部２１と野地板１４上に挟持された挟持部３１ａと、野地板１４の軒先側に突出した突出部３１ｂと、これら挟持部３１ａと突出部３１ｂとを接続する接続部３１ｃとを備えている。挟持部３１ａの平面と突出部３１ｂの平面とはほぼ平行で、突出部３１ｂ側がやや下方に形成されている。突出部３１ｂの先端側は折返部２３に近接しているが、当接はしていない。突出部３１ｂの先端Ｐから野地板１４側に折り返された突出折返部３１ｄが形成されている。挟持部３１ａの上端には折返し片３３（図１参照）、案内片３２の下端には折返し片３４が形成されている。
【００４８】
ここで、挟持部３１ａの下端位置Ｓが、突出折返部３１ｄと案内片３２との境界位置Ｋに対し、鉛直方向において高くなるように配置されている。
【００４９】
次に、このような屋根構造７０の組立工程について説明する。すなわち、野地板１４の軒先側に水切り部材８０を配置する。次に、屋根材２０を下端側が水切り部材３０の突出部３１ｂよりも数ｃｍ先に出るように配置する。次に、屋根材２０の下端側を下方に折り曲げて水切り部材８０の突出部３１ｂの下端に近づける。
【００５０】
このように構成された屋根構造７０では、次のような効果がある。すなわち、降雨時に屋根材２０上に落下した雨水は、屋根材２０平面部２１上面を伝わって軒先側に導かれる。雨水は軒先側に達すると、軒先において表面張力で一旦水が溜まり、その一部は重力により軒先から落下してゆく。一方、平面部２１と壁部２２の境界付近の雨水は軒先側に導かれる。導かれた雨水の一部は壁部２２と縦桟１５の隙間に回り込む。回り込んだ雨水は毛細管現象によって水切り部材８０の突出部３１ｂ上に導かれる。一方、突出部３１ｂ上面と屋根材２０の平面部２１とは離間しているため、雨水が毛細管現象によって挟持部３１ａ側に導かれることはない。
【００５１】
また、屋根材２０の平面部２１上面を伝わって軒先側に導かれた雨水の一部は、上述したように表面張力によって図１７に示すように、平面部２１の先端側に留って水滴Ｗを形成する。この水滴Ｗは次第に大きくなり、屋根材２０の折返部２３の先端まで濡れ拡がり、折返部２３と水切り部材８０の突出折返部３１ｄとの間に溜まる。
【００５２】
この水滴Ｗは、水切り部材８０の突出部３１ｂ下面と屋根材２０の折返部２３との間に入り込み、突出折返部３１ｄと案内片３２との境界位置Ｋの高さまで上がる。ここで、挟持部３１ａの下端位置Ｓが、突出折返部３１ｄと案内片３２との境界位置Ｋに対し、鉛直方向において高くなるように配置されているため、二点鎖線Ｈの位置で水滴Ｗの上昇は留まり、下端位置Ｓまで水滴Ｗが上がることがなく、水切り部材８０の挟持部３１ａと屋根材２０の平面部２１との間に到達しない。したがって、雨水が大気圧によって挟持部３１ａ側に導かれることはない。
【００５３】
一方、降雨後は、図１８に示すように水滴Ｗは消失し、屋根材２０の折返部２３の上面に僅かに水Ｑが溜まることとなる。水Ｑは外気に触れているため、いずれ蒸発する。
【００５４】
このように屋根構造７０によれば、水切り部材８０と屋根材２０との間を伝わって雨水が野地板１４上まで到達することがなく、野地板１４が傷むのを防止でき、長寿命化することができる。
【００５５】
図１９は屋根構造（３．５寸勾配）７０Ａの降雨時の状態を示す断面図、図２０は屋根構造７０Ａの降雨後の状態を示す断面図である。なお、これらの図において、図１７，１８と同一機能部分には同一符号を付し、その詳細な説明は省略する。なお、３．５寸勾配とは、野地板１４の傾きが１９〜２０°となる傾きである。
【００５６】
屋根構造７０Ａにおいても、図１９に示すように、降雨時において、突出部３１ｂ上面と屋根材２０の平面部２１とは離間しているため、雨水が毛細管現象によって挟持部３１ａ側に導かれることはない。また、挟持部３１ａの下端位置Ｓが、突出折返部３１ｄと案内片３２との境界位置Ｋに対し、鉛直方向において高くなるように配置されているため、水滴Ｗが水切り部材８０の突出部３１ｂ下面と屋根材２０の折返部２３との間に入り込んで境界位置Ｋの高さまで上がっても、二点鎖線Ｈの位置で水滴Ｗの上昇は留まる。したがって、下端位置Ｓまで水滴Ｗが上がることがなく、水切り部材８０の挟持部３１ａと屋根材２０の平面部２１との間に到達しない。したがって、雨水が大気圧によって挟持部３１ａ側に導かれることはない。
【００５７】
一方、降雨後は、図２０に示すように水滴Ｗは消失し、屋根材２０の折返部２３の上面に僅かに水Ｑが溜まることとなる。水Ｑは外気に触れているため、いずれ蒸発する。
【００５８】
このように屋根構造７０Ａによれば、水切り部材８０と屋根材２０との間を伝わって雨水が野地板１４上まで到達することがなく、野地板１４が傷むのを防止でき、長寿命化することができる。
【００５９】
図２１は屋根構造（６寸勾配）７０Ｂの降雨時の状態を示す断面図、図２２は比較例としての屋根構造７０Ｂの降雨後の状態を示す断面図である。なお、これらの図において、図１７，１８と同一機能部分には同一符号を付し、その詳細な説明は省略する。なお、６寸勾配とは、野地板１４の傾きが３０〜３１°となる傾きである。
【００６０】
屋根構造７０Ｂにおいても、図２１に示すように、降雨時において、突出部３１ｂ上面と屋根材２０の平面部２１とは離間しているため、雨水が毛細管現象によって挟持部３１ａ側に導かれることはない。また、挟持部３１ａの下端位置Ｓが、突出折返部３１ｄと案内片３２との境界位置Ｋに対し、鉛直方向において高くなるように配置されているため、水滴Ｗが水切り部材８０の突出部３１ｂ下面と屋根材２０の折返部２３との間に入り込んで境界位置Ｋの高さまで上がっても、二点鎖線Ｈの位置で水滴Ｗの上昇は留まる。したがって、下端位置Ｓまで水滴Ｗが上がることがなく、水切り部材８０の挟持部３１ａと屋根材２０の平面部２１との間に到達しない。したがって、雨水が大気圧によって挟持部３１ａ側に導かれることはない。
【００６１】
一方、降雨後は、図２２に示すように水滴Ｗは消失し、屋根材２０の折返部２３の上面に僅かに水Ｑが溜まることとなる。水Ｑは外気に触れているため、いずれ蒸発する。
【００６２】
このように屋根構造７０Ａによれば、水切り部材８０と屋根材２０との間を伝わって雨水が野地板１４上まで到達することがなく、野地板１４が傷むのを防止でき、長寿命化することができる。
【００６３】
図２３は比較例としての屋根構造（１寸勾配）１００の降雨時の状態を示す断面図、図２４は屋根構造１００の降雨後の状態を示す断面図である。なお、これらの図において、図３５〜３７と同一機能部分には同一符号を付し、その詳細な説明は省略する。
【００６４】
図２３に示すように、屋根構造１００は、野地板１０１と、この野地板１０１上に棟側から軒先側に向けて所定間隔で配置された縦桟１０２と、野地板１０１上に設けられた防水シート１０３とを備えている。これら縦桟１０２の間には、板金製の屋根材１１０が設けられている。また、野地板１０１の軒先側には板金製の水切り部材１２０が配置され、屋根材１１０の下面に配置されている。
【００６５】
屋根材１１０は、野地板１０１及び水切り部材１２０に積層される平面部１１１と、この平面部１１１の側端部から縦桟１０２に沿って立設された壁部１１２と、平面部１１１の軒先側に設けられた折返部１１３とを備えている。
【００６６】
水切り部材１２０は、野地板１０１に積層される本体部１２１と、この本体部１２１の軒先側から下方へ折曲された案内片１２２とを備えている。なお、案内片１２２には、上述した折返部１１３が重ねられて配置されている。ここで、本体部１２１の下端位置Ｓが、案内片１２２の水平部１２２ａと垂下部１２２ｂとの折曲位置Ｋに対し、鉛直方向において低く配置されている。
【００６７】
このように構成された屋根構造１００では、前述したように、降雨時に屋根材１１０と水切り部材１２０との隙間に毛細管現象により水が浸入する。浸入した水分は、さらに屋根材１１０と水切り部材１２０との間を上り、野地板１０１まで浸入する。また、屋根材１１０の平面部１１１上面を伝わって軒先側に導かれた雨水の一部は、表面張力によって図２３に示すように、平面部１１１の先端側に留って水滴Ｗを形成する。この水滴Ｗは次第に大きくなり、屋根材１１０の折返部１１３の先端位置まで濡れ拡がり、折返部１１３と水切り部材１２０の案内片１２２の水平部１２２ａの間に溜まる。
【００６８】
この水滴Ｗは、水切り部材１２０の水平部１２２ａ下面と屋根材１１０の折返部１１３との間に入り込み、水切り部材１２０の水平部１２２ａと垂下部１２２ｂとの境界位置Ｋの高さまで上がる。ここで、屋根材１１０と水切り部材１２０との隙間が狭くなっているため、毛細管現象により水が浸入することとなる。
【００６９】
一方、降雨後は、図２４に示すように水滴Ｗは消失し、水切り部材１２０の水平部１２２ａ下面と屋根材１１０の折返部１１３上面に僅かに水Ｑが溜まることとなる。水Ｑは外気に触れているため、いずれ蒸発する。
【００７０】
このように屋根構造１００によれば、本体部１２１の下端位置Ｓが、案内片１２２の水平部１２２ａと垂下部１２２ｂとの折曲位置Ｋに対し、鉛直方向において低く配置されていることから、雨水が野地板１０１上まで到達し、野地板１０１が傷むこととなる。
【００７１】
この比較例からも判るように、屋根構造７０において、挟持部３１ａの下端位置Ｓが、突出折返部３１ｄと案内片３２との境界位置Ｋに対し、鉛直方向において高くなるように配置することで、野地板１４の傷みを防止できる。
【００７２】
図２５は比較例としての屋根構造（３．５寸勾配）１００Ａの降雨時の状態を示す断面図、図２６は屋根構造１００Ａの降雨後の状態を示す断面図である。なお、これらの図において、図２３，２４と同一機能部分には同一符号を付し、その詳細な説明は省略する。
【００７３】
屋根構造１００Ａにおいても、図２５に示すように、降雨時において、本体部１２１の下端位置Ｓが、案内片１２２の水平部１２２ａと垂下部１２２ｂとの折曲位置Ｋに対し、鉛直方向において低く配置されていることから、雨水が野地板１０１上まで到達し、野地板１０１が傷むこととなる。
【００７４】
図２７は比較例としての屋根構造（６寸勾配）１００Ｂの降雨時の状態を示す断面図、図２８は屋根構造１００Ｂの降雨後の状態を示す断面図である。なお、これらの図において、図２７，２８と同一機能部分には同一符号を付し、その詳細な説明は省略する。
【００７５】
屋根構造１００Ｂにおいても、図２７に示すように、降雨時において、本体部１２１の下端位置Ｓが、案内片１２２の水平部１２２ａと垂下部１２２ｂとの折曲位置Ｋに対し、鉛直方向において低く配置されていることから、雨水が野地板１０１上まで到達し、野地板１０１が傷むこととなる。
【００７６】
図２９は本発明の第６の実施の形態に係る屋根構造（１寸勾配）７０Ｃの降雨時の状態を示す断面図、図３０は屋根構造７０Ｃの降雨後の状態を示す断面図である。なお、これらの図において、図１７，１８と同一機能部分には同一符号を付し、その詳細な説明は省略する。
【００７７】
屋根構造７０Ｃにおいては、屋根材２０の折返部２３がほぼ水平に配置され、その先端が僅かに下方に傾いている。この場合、図２９に示すように、降雨時において、突出部３１ｂ上面と屋根材２０の平面部２１とは離間しているため、雨水が毛細管現象によって挟持部３１ａ側に導かれることはない。また、挟持部３１ａの下端位置Ｓが、突出折返部３１ｄと案内片３２との境界位置Ｋに対し、鉛直方向において高くなるように配置されているため、水滴Ｗが水切り部材８０の突出部３１ｂ下面と屋根材２０の折返部２３との間に入り込んで境界位置Ｋの高さまで上がっても、二点鎖線Ｈの位置で水滴Ｗの上昇は留まる。したがって、下端位置Ｓまで水滴Ｗが上がることがなく、水切り部材８０の挟持部３１ａと屋根材２０の平面部２１との間に到達しない。したがって、雨水が大気圧によって挟持部３１ａ側に導かれることはない。
【００７８】
一方、降雨後は、図３０に示すように折返部２３の僅かな傾斜に沿って水滴Ｗは流れ落ち、水は溜まらない。なお、このとき、折返部２３がほぼ水平であるため、下方から吹き上げる風による影響を最小限に留めることができ、水滴Ｗが突出部３１ｂの上方に入り込むことがない。
【００７９】
このように屋根構造７０Ｃによれば、水切り部材８０と屋根材２０との間を伝わって雨水が野地板１４上まで到達することがなく、野地板１４が傷むのを防止でき、長寿命化することができる。
【００８０】
図３１は屋根構造（３．５寸勾配）７０Ｄの降雨時の状態を示す断面図、図３２は屋根構造７０Ｄの降雨後の状態を示す断面図である。なお、これらの図において、図２９，３０と同一機能部分には同一符号を付し、その詳細な説明は省略する。
【００８１】
屋根構造７０Ｄにおいても、屋根材２０の折返部２３の先端が下方を向いていることから、屋根構造７０Ｃと同様に、降雨時において雨水が毛細管現象によって挟持部３１ａ側に導かれることはない。また、水滴Ｗが水切り部材８０の突出部３１ｂ下面と屋根材２０の折返部２３との間に入り込んで境界位置Ｋの高さまで上がっても、二点鎖線Ｈの位置で水滴Ｗの上昇は留まる。したがって、下端位置Ｓまで水滴Ｗが上がることがなく、水切り部材８０の挟持部３１ａと屋根材２０の平面部２１との間に到達しない。したがって、雨水が大気圧によって挟持部３１ａ側に導かれることはない。
【００８２】
一方、降雨後は、図３２に示すように折返部２３の僅かな傾斜に沿って水滴Ｗは流れ落ち、水は溜まらない。なお、このとき、折返部２３がほぼ水平であるため、下方から吹き上げる風による影響を最小限に留めることができ、水滴Ｗが突出部３１ｂの上方に入り込むことがない。
【００８３】
このように屋根構造７０Ｄによれば、水切り部材８０と屋根材２０との間を伝わって雨水が野地板１４上まで到達することがなく、野地板１４が傷むのを防止でき、長寿命化することができる。
【００８４】
図３３は屋根構造（６寸勾配）７０Ｅの降雨時の状態を示す断面図、図３４は屋根構造７０Ｅの降雨後の状態を示す断面図である。なお、これらの図において、図２９，３０と同一機能部分には同一符号を付し、その詳細な説明は省略する。
【００８５】
屋根構造７０Ｅにおいても、屋根材２０の折返部２３の先端が下方を向いていることから、屋根構造７０Ｃと同様に、降雨時において雨水が毛細管現象によって挟持部３１ａ側に導かれることはない。また、水滴Ｗが水切り部材８０の突出部３１ｂ下面と屋根材２０の折返部２３との間に入り込んで境界位置Ｋの高さまで上がっても、二点鎖線Ｈの位置で水滴Ｗの上昇は留まる。したがって、下端位置Ｓまで水滴Ｗが上がることがなく、水切り部材８０の挟持部３１ａと屋根材２０の平面部２１との間に到達しない。したがって、雨水が大気圧によって挟持部３１ａ側に導かれることはない。
【００８６】
一方、降雨後は、図３４に示すように折返部２３の僅かな傾斜に沿って水滴Ｗは流れ落ち、水は溜まらない。なお、このとき、折返部２３がほぼ水平であるため、下方から吹き上げる風による影響を最小限に留めることができ、水滴Ｗが突出部３１ｂの上方に入り込むことがない。
【００８７】
このように屋根構造７０Ｄによれば、水切り部材８０と屋根材２０との間を伝わって雨水が野地板１４上まで到達することがなく、野地板１４が傷むのを防止でき、長寿命化することができる。
【００８８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００８９】
１０、１０Ａ、１０Ｂ、１０Ｃ、１０Ｄ…屋根構造、１２…垂木、１３…破風板、１４…野地板、１５…縦桟、１６…防水シート、２０…屋根材、２１…平面部、２２…壁部、２３…折返部、３０…部材、３０Ａ…部材、３１…本体部、３１ａ…挟持部、３１ｂ…突出部、３１ｃ…接続部、３１ｄ…突出折返部、３２…案内片（折曲部）、３２ａ…折曲案内片、４０…屋根材、４１…平面部、４２…被係合凸部、４３…係合凸部、４４…折返部、５０…屋根材、５１…平面部、５２…被係合鍔部、５３…係合鍔部、５４…折返部、６０…屋根材、６１…平面部、６２…被係合折返片、６３…係合折返片、７０…屋根構造、７０、７０Ａ、７０Ｂ、７０Ｃ、７０Ｄ、７０Ｅ…屋根構造、８０…水切り部材。
【図１Ａ】
2018080571.tif 000003
【図１Ｂ】
2018080571.tif 000004
【図２Ａ】
2018080571.tif 000005
【図２Ｂ】
2018080571.tif 000006
【図３】
2018080571.tif 000007
【図４】
2018080571.tif 000008
【図５】
2018080571.tif 000009
【図６】
2018080571.tif 000010
【図７】
2018080571.tif 000011
【図８】
2018080571.tif 000012
【図９】
2018080571.tif 000013
【図１０】
2018080571.tif 000014
【図１１】
2018080571.tif 000015
【図１２】
2018080571.tif 000016
【図１３】
2018080571.tif 000017
【図１４】
2018080571.tif 000018
【図１５】
2018080571.tif 000019
【図１６】
2018080571.tif 000020
【図１７】
2018080571.tif 000021
【図１８】
2018080571.tif 000022
【図１９】
2018080571.tif 000023
【図２０】
2018080571.tif 000024
【図２１】
2018080571.tif 000025
【図２２】
2018080571.tif 000026
【図２３】
2018080571.tif 000027
【図２４】
2018080571.tif 000028
【図２５】
2018080571.tif 000029
【図２６】
2018080571.tif 000030
【図２７】
2018080571.tif 000031
【図２８】
2018080571.tif 000032
【図２９】
2018080571.tif 000033
【図３０】
2018080571.tif 000034
【図３１】
2018080571.tif 000035
【図３２】
2018080571.tif 000036
【図３３】
2018080571.tif 000037
【図３４】
2018080571.tif 000038
【図３５】
2018080571.tif 000039
【図３６】
2018080571.tif 000040
【図３７】
2018080571.tif 000041